(57)【要約】  組立体が、周縁（５）によって包囲された口部を有する、液体を貯めて注ぐための容器（１）と、処理される液体の貯留部を形成するための分離部品（２）とを備える。分離部品は、容器（１）によって支持されるように容器（１）において吊り下げ可能である。分離部品は、貯留部の出口を通過する液体を処理するための液体処理装置（２４）を保持するように構成される。分離部品（２）は、分離部品（２）が容器（１）によって支持されるときに上方区域を形成するある区域（１１）と、上方区域（１１）から垂れ下がる区域（１２、３５）とを含む。分離部品（２）は、上方区域（１１）のある区域（１７）を容器（１）に向けて押すことで、第１の位置から第２の位置まで旋回可能である。分離部品（２）は、上方区域（１１）の区域（１７）が第１の位置及び第２の位置のうちの第２の位置においてのみ配置される側と反対の容器（１）の側において、容器（１）から液体を注がせることができる。垂れ下がる区域は、第１の位置において垂れ下がる区域の周囲の少なくとも大部分に沿って、容器（１）の壁（６）の内側に当たって封止する部分（２０）を備える。
2018520860.tif 000002
【特許請求の範囲】
【請求項１】
周縁（５）によって包囲された口部を有する、液体を貯めて注ぐための容器（１）と、
処理される液体の貯留部を形成するための分離部品（２）と
を備え、
前記容器（１）によって支持されるように前記容器（１）において吊り下げ可能であり、
前記貯留部の出口を通過する液体を処理するための液体処理装置（２４）を保持するように構成され、
前記分離部品（２）は、前記分離部品（２）が前記容器（１）によって支持されるときに上方区域を形成するある区域（１１）と、前記上方区域（１１）から垂れ下がる区域（１２、３５）とを含み、
前記分離部品（２）は、前記上方区域（１１）のある区域（１７）を前記容器（１）に向けて押すことで、第１の位置から第２の位置まで旋回可能であり、
前記分離部品（２）は、前記上方区域（１１）の前記区域（１７）が前記第１の位置及び前記第２の位置のうちの前記第２の位置においてのみ配置される側と反対の前記容器（１）の側において、前記容器（１）から液体を注がせることができ、
前記垂れ下がる区域は、前記第１の位置において前記垂れ下がる区域の周囲の少なくとも大部分に沿って、前記容器（１）の壁（６）の内側に当たって封止する部分（２０）を備えることを特徴とする組立体。
【請求項２】
前記上方区域（１１）の少なくともさらなる区域が、前記分離部品（２）を少なくとも前記第１の位置において支持するために、前記周縁（５）の少なくともある区域で配置可能な少なくとも１つの縁区域（１４、１５ａ、１５ｂ）を含む、請求項１に記載の組立体。
【請求項３】
前記容器（１）に向けて押すための前記上方区域（１１）の前記区域（１７）は、さらなる前記区域（１４、１５ａ、１５ｂ）に対して傾けられる、請求項２に記載の組立体。
【請求項４】
さらなる前記区域（１４、１５ａ、１５ｂ）と、前記容器（１）に向けて押すための前記上方区域（１１）の前記区域（１７）との間の移行部が、前記分離部品（２）が前記容器（１）によって支持されるとき、前記容器（１）の前記口部を横切って延在する、請求項２又は３に記載の組立体。
【請求項５】
前記移行部は、例えば前記上方区域の前記縁区域（１１）の湾曲区域（１６ａ、１６ｂ）といった、前記上方区域の前記縁区域（１１）の区域（１６ａ、１６ｂ）を含む、請求項４に記載の組立体。
【請求項６】
前記上方区域は、前記分離部品（２）が前記容器（１）によって支持されるときに前記上方区域の周囲の例えば全体といった少なくとも大部分に沿って前記周縁（５）にわたって延在する縁区域（１１）を含む、請求項１〜５のいずれか一つに記載の組立体。
【請求項７】
前記容器（１）には吐出口（７）が形成され、
前記容器（１）は、前記口部の反対に基部（４）を有し、
前記封止部分（２０）は、少なくとも前記第１の位置において、前記基部（４）と前記吐出口（７）との間の高さに位置付けられる、請求項１〜６のいずれか一つに記載の組立体。
【請求項８】
前記垂れ下がる区域には、その周囲の少なくとも一部の周りに延在する隆条部が設けられ、前記隆条部の少なくともある区域が前記封止部分（２０）を形成する、請求項１〜７のいずれか一つに記載の組立体。
【請求項９】
前記容器（１）は、前記口部の反対に基部（４）を有し、
前記容器（１）には、前記容器壁（６）の内面において少なくとも１つの突出部分（２２ａ、２２ｂ）が設けられ、
各々が前記垂れ下がる区域における前記隆条部のそれぞれの区域と関連付けられ、前記分離部品（２）が前記第２の位置から前記第１の位置へと旋回するとき、前記突出部分（２２ａ、２２ｂ）と前記基部（４）との間の位置へと嵌まり入るように構成される、請求項８に記載の組立体。
【請求項１０】
前記垂れ下がる区域の側壁（１２）には、前記容器（１）に向けて押される前記区域（１７）の端と同じ側における場所に突起（１８）が設けられる、請求項１〜９のいずれか一つに記載の組立体。
【請求項１１】
前記分離部品（２）の前記貯留部の口部を閉じるための蓋（３）をさらに備える、請求項１〜１０のいずれか一つに記載の組立体。
【請求項１２】
前記分離部品（２）は、交換可能液体処理カートリッジ（２４）の形態での液体処理装置を受け入れるためのカートリッジ座部を備える、請求項１〜１１のいずれか一つに記載の組立体。
【請求項１３】
前記容器（１）は、前記口部の反対に基部（４）を有し、
前記分離部品（２）及び前記容器（１）には、突出部（１０ａ、１０ｂ）と、前記分離部品（２）が前記第１の位置と前記第２の位置との間で旋回するときに前記突出部（１０ａ、１０ｂ）が移動可能にそれに沿う縁との少なくとも１つの対の各々のそれぞれの部材が設けられる、請求項１〜１２のいずれか一つに記載の組立体。
【請求項１４】
前記少なくとも１つの対の各々の前記縁が、前記突出部（１０ａ、１０ｂ）を前記縁と前記基部（４）との間の高さで保持する、請求項１３に記載の組立体。
【請求項１５】
各々の対の前記縁は、前記周縁（５）と前記基部（４）との間の高さに設けられる、請求項１３又は１４に記載の組立体。
【請求項１６】
請求項１〜１５のいずれか一つに記載の組立体と液体処理装置（２４）とを備える液体処理システム。
【発明の詳細な説明】
【技術分野】
【０００１】
本発明は、
周縁によって包囲された口を有する、液体を貯めて注ぐための容器と、
処理される液体の貯留部を形成するための分離部品と
を備え、
容器によって支持されるように容器において吊り下げ可能であり、
貯留部の出口を通過する液体を処理するための液体処理装置を保持するように構成され、
分離部品は、分離部品が容器によって支持されるときに上方区域を形成する区域と、上方区域から垂れ下がる区域とを含み、
分離部品は、上方区域のある区域を容器に向けて押すことで、第１の位置から第２の位置まで旋回可能であり、
分離部品は、上方区域のある区域が第１の位置及び第２の位置のうちの第２の位置においてのみ配置される側と反対の容器の側において、容器から液体を注がせることができる、組立体に関する。
【０００２】
本発明は、このような組立体を含む液体処理システムにも関する。
【背景技術】
【０００３】
Ｂａｒｒｉｅｒ  Ｗａｔｅｒ  Ｆｉｌｔｅｒｓによって「Ｇｒａｎｄ」の名称の下で市販されているピッチャは、２０１５年６月２９日にアクセスされたｈｔｔｐ：／／ｗｗｗ．ｂａｒｒｉｅｒｕｓ．ＣＯＭ／ｐｒｏｄｕｃｔｓ／ｐｉｔｃｈｅｒｓ／ｇｒａｎｄ−ｐｒｏｇｒａｍｍａｂｌｅ−ｉｎｄｉｃａｔｏｒにおいて開示されている。このピッチャは、別体の蓋を持つ漏斗状の貯留部を備える。漏斗状の貯留部の縁は、ピッチャの周縁にその全体周囲に沿って圧し掛かり、ピッチャの注ぎ吐出口も覆う。漏斗状の貯留部のレバーは、ピッチャの取っ手の上で取っ手から少し離れて延在しており、レバーを取っ手に向けて押し下げることができる。したがって、漏斗状の貯留部は、ピッチャの周縁から漏斗状の貯留部の縁を持ち上げるために、傾けることができる。旋回軸は、取っ手がピッチャの本体に結合する周縁にある。
【０００４】
ピッチャを閉じるために漏斗状の貯留部の縁を用いることの問題は、漏斗状の貯留部が周縁において全体周囲に沿って位置する場合、レバーが周縁からの短い距離にわたってしか延在できないことである。さらに、ピッチャの口部を閉じたままにするのは漏斗状の貯留部の重量だけである。
【発明の概要】
【発明が解決しようとする課題】
【０００５】
使用するのが比較的容易である、始めの段落において先に定義した種類の組立体及び液体処理システムを提供することが、本発明の目的である。
【課題を解決するための手段】
【０００６】
この目的は、垂れ下がる区域が、第１の位置において垂れ下がる区域の周囲の少なくとも大部分に沿って、容器の壁の内側に当たって封止する部分を備えることを特徴とする、本発明による組立体による第１の態様に従って達成される。
【０００７】
組立体は容器を備える。容器は、基部の反対に口部を有する。口部は周縁によって包囲される。組立体は蓋を備えてもよい。容器は、例えば、口部を包囲する周縁にそれ自体の上方の縁が含まれる唇状部の形態で、吐出口を備えてもよい。代替で、吐出口が、容器の側壁に隣接して形成されてもよく、側壁における開口から、容器の口部に隣接する口部へと延在してもよく、それら２つの口部は、容器の口部を包囲する周縁のある区域によって分離される。分離部品が、漏斗又はホッパの形で提供される。使用中、分離部品は、処理される液体を、処理された液体が集められる容器の内部の部分から分離する。分離部品は、処理される液体の貯留部を形成する。分離部品は、液体が貯留部から容器の内部の別の部品への途中で通過できる出口開放部を有する。しかしながら、例えば交換可能液体処理カートリッジといった液体処理装置が所定位置にあるとき、出口開放部を通過する液体は、例えば液体の成分を除去、置換、又は補足するためといった処理を受ける液体処理装置を介して、容器の内部の分離された部分に到達できるだけである。分離部品は、使用中、周縁の上方の縁の真下において周縁又は出っ張りに置くことができる上方区域を含む。その場合分離部品は周縁の上方の縁によって支持される。分離部品のさらなる区域は上方区域から垂れ下がり、そのため分離部品は容器において吊り下げされる。分離部品はさらに蓋によって覆われてもよい。しかしながら、蓋は、任意の注ぎ吐出口の口部を自由なままにしてもよい。上方区域は、分離部品によって形成された貯留部の口部を包囲する縁によって定められてもよい。上方区域のある区域が、分離部品の閉位置において容器に向けて押されてもよい。上方区域から垂れ下がる分離部品のある区域のある部分は、閉位置において容器に当たって封止する部分を備える。封止する部分は、全体周囲に沿って、又は、周囲の一部だけに沿って封止してもよいが、少なくとも、液体が使用の際、注がれる側において封止する。これは、使用中、容器に向けて押される区域が位置付けられる側と反対の側である。容器が取っ手を有するかどうかに拘わらず、例えば吐出口が位置付けられる側といった、液体が容器から注がれる側があることになる。容器に向けて押される区域は、この側とは反対となる。したがって、容器に向けて押される区域は使用者の手と同じ側にある。これは、使用者に分離部品を開位置で置かせ、まったく同一の手で処理された液体を容器から注がせることができる。少なくとも液体が容器から通常注がれる側において、分離部品は、閉位置において容器に当たって封止し、そのため液体が不用意に流れ出ることはできず、汚染物が入ることはできない。液体を容器から注ぐために旋回される分離部品であるため、蓋は分離部品に置かれ、分離部品と共に旋回できる。これは、分離部品によって形成される貯留部が閉じられたままである一方、処理された液体が注がれることを意味する。処理されていない液体が貯留部の側方を越えて飛び散り、処理された液体と混ざる危険性は、低減される。容器が、少なくとも、垂れ下がる区域の封止部分によって液体が通常注がれる側において閉じられるため、分離部品は、液体が容器からうっかりと注がれるのを防止するために、その周囲に沿う容器の周縁に位置する縁を有する必要がない。これは、分離部品の上方区域の縁をその周囲の一部に沿って周縁から離すことを、さらに可能にする。したがって、旋回軸は、容器の中心の直立の軸のより近くに位置でき、旋回アームの長さを大きくさせる。これは、例えば液体が貯留部になおもある場合であっても、容器を比較的小さい力で開けることを可能にする。
【０００８】
実施形態では、上方区域の少なくともさらなる区域が、分離部品を少なくとも第１の位置において支持するために、周縁の少なくともある区域で配置可能な少なくとも１つの縁区域を含む。したがって、周縁は、分離部品を少なくとも第１の位置において縁区域によって支持する。分離部品を旋回させることができる手法で分離部品を容器において吊り下げるために別体の出っ張り又は他の支持機構を提供する必要はない。さらに、旋回運動は、周縁に沿っての変位と比較的容易に組み合わせることができる。縁区域は、垂れ下がる区域に対して突出する張出区域を概して形成することになる。したがって、垂れ下がる区域は、容器の口部を通じて挿入されてもよい。張り出す縁の区域は、分離部品を支持するための周縁を向く面を有する。
【０００９】
この実施形態の変形では、容器に向けて押すための上方区域の区域は、さらなる区域に対して傾けられる。
【００１０】
この変形は、本質的に１つの平面に位置する周縁を伴う容器の使用を可能にする。周縁は、器に向けて押される区域の下に、下向きに傾けられた区域を含まなくてもよい。容器に向けて押すための区域は、縁区域の少なくとも１つのさらなる区域を含んでもよく、そのさらなる区域は、分離部品を第２の位置において支持するために周縁と接触する。
【００１１】
上方区域のさらなる区域が、分離部品を少なくとも第１の位置において支持するために、周縁の少なくともある区域で配置可能な少なくとも１つの縁区域を含む実施形態の変形では、さらなる区域と、容器に向けて押すための上方区域の区域との間の移行部が、分離部品が容器によって支持されるとき、容器の口部を横切って延在する。
【００１２】
移行部が容器の口部を横切って延在するため、旋回軸も延在する。使用者が、例えば容器を保持する手の親指で、上方区域のある区域を周縁において容器に向けて押すとすると、容器に向けて押される区域によって形成されるレバーには比較的長い梃子となるアームがある。これは、分離部品によって形成される貯留部に処理される液体がなおもある、又は、液体処理装置に液体がなおもある場合であっても、液体を容器から注ぐことをより容易にする。
【００１３】
この実施形態の変形では、移行部は、例えば上方区域の縁区域の湾曲区域といった、上方区域の縁区域の区域を含む。
【００１４】
したがって、分離部品は、旋回する間に縁区域によって支持されたままである。区域が湾曲されている場合、旋回軸は周縁に沿ってより容易に移動することができる。分離部品を第１の位置と第２の位置との間で移動するとき、分離部品を旋回させることに加えて、分離部品を周縁に沿って変位させることもより容易である。
【００１５】
組立体の実施形態では、上方区域は、分離部品が容器によって支持されるときに上方区域の周囲の例えば全体といった少なくとも大部分に沿って周縁にわたって延在する縁区域を含む。
【００１６】
縁区域は、分離部品の任意の１つの位置において、周縁にその全長の単一又は複数の一部に沿って接触する必要がある。その配向に拘わらず、分離部品は容器へと落下することはない。また、縁区域は、汚染物が分離部品と容器の側壁との間で容器に入るのを防止するのを助ける。
【００１７】
組立体の実施形態では、容器には吐出口が形成され、容器は、口部の反対に基部を有し、封止部分は、少なくとも第１の位置において、基部と吐出口との間の高さに位置付けられる。
【００１８】
吐出口は、液体を容器から注ぐことをより容易にする。封止部分は、少なくとも第１の位置において基部と吐出口との間の高さに位置付けられるため、吐出口への液体の経路を閉じることができる。吐出口の口部を覆う必要、又は、吐出口の口部と吐出口が容器の側壁に接する高さとの間の高さで封止部分が吐出口を塞ぐように封止部分の形を適合させる必要はない。
【００１９】
組立体の実施形態では、容器には吐出口が形成され、上方区域は吐出口の口部を覆うように延在する。
【００２０】
したがって、液体が容器から注がれるときに汚染物が吐出口に入って液体と混ぜられるのを防止するために、別体のカバーを設ける必要はない。これは、例えば飲用の液体との関連で、組立体を屋外での使用に適したものにする。
【００２１】
実施形態では、容器には吐出口が形成され、周縁が吐出口の口部を縁取る。
【００２２】
これは、ティーポットなど、吐出口が側方から突き出ている容器と比較して、吐出口を容器の主要な部分の比較的近くに置くことになる。概して、吐出口は周縁のより近くに位置付けられ、そのため、分離部品の封止部分は、周縁に比較的近い高さに設けられ得る。
【００２３】
この実施形態の変形では、容器には、縁区域が周縁に含まれている唇状部の形態で吐出口が形成されている。
【００２４】
これは、吐出口を、容器の残りの部分のさらにより近くに置く。唇状部は、注ぐことを可能にするための、折られた形又は湾曲した形の容器側壁の上方の縁区域のある区域でしかない。吐出口の口部は、容器の口部と近接している。これは、上方区域が吐出口の口部を覆うように延在する実施形態を実施することをより容易にもする。延在は比較的小さくてもよい。
【００２５】
組立体の実施形態では、容器には吐出口が形成され、分離部品は、例えば支柱及び薄板の少なくとも一方といった、少なくとも第１の位置において吐出口へと延び入る構造を備える。
【００２６】
容器は、概して１つだけの吐出口を有することになる。吐出口へと延び入る構造は、分離部品が分離部品と正確に組み立てられることを確保し、そのため、容器に向けて押される上方区域のある区域は、吐出口が位置付けられる側と反対の容器の側にある。
【００２７】
容器に吐出口が形成され、上方区域が吐出口の口部へと延在するこの実施形態の変形では、構造は、垂れ下がる区域の側壁から吐出口の口部を覆う延在部まで延在する。
【００２８】
この実施形態では、構造は延在部を強化し、したがって延在部によって覆われる領域にとって比較的薄くなり得る。延在部は、分離部品の張り出す縁の区域のある区域であり得る。
【００２９】
組立体の実施形態では、垂れ下がる区域には、その周囲の少なくとも一部の周りに延在する隆条部が設けられ、隆条部の少なくともある区域が封止部分を形成する。
【００３０】
隆条部は、容器の側壁の内面に、その全長の少なくとも一部に沿って、具体的には吐出口の下で、シールを形成するために接する。そうでない場合、分離部品は容器側壁の内面から離間されていてもよく、第１の位置と第２の位置との間での分離部品の移動を可能にするための空間を提供し、容器から注がれる液体を容器側壁と分離部品との間で流すことができる。概して、隆条部は、その全体の長さに沿ってシールを形成するために容器の壁の内面と接しないとしても、垂れ下がる区域の全周囲の周りで延在することになる。
【００３１】
この実施形態の変形では、隆条部は、容器に向けて押される区域の端と同じ側における場所での少なくとも第２の位置において、容器の壁の内面から離間される。
【００３２】
これは、注いでいる間に容器の通気を提供し、そのため液体の滑らかな流れが得られる。場所が、容器に向けて押される区域の端と同じ側にあるため、液体が注がれる側と反対の側にある。
【００３３】
垂れ下がる区域に、その周囲の少なくとも一部の周りに延在する隆条部が設けられ、隆条部の少なくともある区域が封止部分を形成する組立体の実施形態では、容器は、口部の反対に基部を有し、容器には、容器壁の内面において少なくとも１つの突出部分が設けられ、各々が垂れ下がる区域における隆条部のそれぞれの区域と関連付けられ、分離部品が第２の位置から第１の位置へと旋回するとき、突出部分と基部との間の位置へと嵌まり入るように構成される。
【００３４】
隆条部の区域は、第１の位置及び第２の位置のうちの第１の位置のみにおいて、基部と、関連する突出部分との間の位置を取る。少なくとも１つの突出部分は、分離部品が第１の位置と第２の位置との間で旋回するときに分離部品において隆条部と係合するために十分に遠くに突出している。その突出部分は、具体的には第１の位置において係合したままであり得る。したがって、少なくとも１つの突出部分は、少なくとも液体が注がれる側において容器を閉じるために、第１の位置で分離部品を保持する。これは、容器に向けて押される分離部品の上方区域のある区域が使用の際、位置付けられる側と反対の側となる。これは、もし存在するなら、容器の吐出口と同じ側となる。突出部分は、例えば、吐出口の下方端の高さに、又は、吐出口と基部との間といった、吐出口の下に、及び／又は、吐出口に隣接して位置付けられ得る。いくつかの突出部分がある場合、それらは、容器の中心を通り旋回軸に対して垂直である平面に対して対称に配置され得る。少なくとも１つの突出部分は、第１の位置に到達されたことを合図するために、容易に分かるフィードバックを使用者に提供する。
【００３５】
垂れ下がる区域に、その周囲の少なくとも一部の周りに延在する隆条部が設けられ、隆条部の少なくともある区域が封止部分を形成する組立体の実施形態では、容器は、口部の反対に基部を有し、容器には、容器壁の内面において少なくとも１つの突出部分が設けられ、各々が垂れ下がる区域における隆条部のそれぞれの区域と関連付けられ、分離部品が第１の位置から第２の位置へと旋回するとき、突出部分と基部との間の位置へと嵌まり入るように構成される。
【００３６】
隆条部の区域は、第１の位置及び第２の位置のうちの第２の位置のみにおいて、基部と、関連する突出部分との間の位置を取る。少なくとも１つの突出部分は、分離部品が第１の位置と第２の位置との間で旋回するときに分離部品において隆条部と係合するために十分に遠くに突出している。その突出部分は、具体的には第２の位置において係合したままであり得る。したがって、少なくとも１つの突出部分は、第２の位置で分離部品を保持する。少なくとも１つの突出部分は、概して、容器に向けて押される分離部品の上方区域のある区域と同じ分離部品の側に位置付けられることになる。いくつかの突出部分がある場合、それらは、容器の中心を通り旋回軸に対して垂直である平面に対して対称に配置され得る。少なくとも１つの突出部分は、第２の位置に到達されたことを合図するために、容易に分かるフィードバックを使用者に提供する。
【００３７】
組立体の実施形態では、容器と、分離部品の少なくとも封止部分との少なくとも一方は、弾性的に変形可能な材料から作られる。
【００３８】
したがって、封止部分と容器との少なくとも一方は他方により密接に合致する。シールは向上される。また、分離部品が第１の位置と第２の位置との間で移動するときの相対位置における変化が受け入れられ得る。
【００３９】
この実施形態の変形では、分離部品は容器より硬い。
【００４０】
概して、分離部品は、例えば、液密な手法で液体処理装置を保持するといった、実行するために他の機能を有することになり、これは、分離部品にその形及び寸法を比較的正確に保持させることを要求する。この要求は、容器が分離部品の位置において変化を受け入れるために変形する場合、逆の場合よりも容易に満たされ得る。容器が変形する場合、分離部品は、比較的硬い材料から一体品で作ることができる。分離部品の垂れ下がる部分は、あらゆる場合において、その（閉じられた）形のため、比較的硬いものであり、圧縮に耐えられる。したがって、この実施形態は、容器及び分離部品が同じ材料から作られる場合、実施されてもよい。それらを同じ材料から作ることは、摩耗を減らし、したがって、組立体の２つの構成部品のどちらがより硬いかに拘わらず、概して有用である。
【００４１】
組立体の実施形態では、分離部品は、例えば成形部品として、一体品で作られる。
【００４２】
これによって、分離部品をより安いコストで製作することができる。具体的には、分離部品が比較的弾力性のない材料から作られる場合、一体品で作られるという事実がその機能性を損なうことはない。
【００４３】
組立体の実施形態では、閉止部品及び容器は同じ材料から作られる。これは、２つの構成部品を互いと係合場所の摩耗を減らせる。
【００４４】
実施形態では、垂れ下がる区域の側壁には、容器に向けて押される区域の端と同じ側における場所に突起が設けられる。
【００４５】
突起は、分離部品を第２の位置で保持するように作用する。使用者は、液体を容器から注いでいる間、分離部品を非常に大きな力で押し下げて保持する必要がない。分離部品及び容器の少なくとも一方は、突起を介して分離部品に発揮される力と反対の弾性力を提供するように変形する。したがって、分離部品は、容器の側壁の相対する側の間の位置で保持される。
【００４６】
組立体の実施形態は、分離部品の貯留部の口部を閉じるための蓋を備える。
【００４７】
蓋は、汚染物を貯留部に寄せ付けないように、及び／又は、容器が逆さまにされる場合、若しくは、液体を容器から注ぐために容器が単に斜めにされる場合、貯留部における液体が貯留部から流れ出すのを防止するように作用できる。
【００４８】
変形では、蓋は分離部品に直接的に置かれる。これは、蓋を分離部品と共に旋回させることができる。
【００４９】
変形では、蓋は分離部品に分離可能である。
【００５０】
これによってヒンジを省くことができる。
【００５１】
分離部品の貯留部の口部を閉じるための蓋を備える組立体の実施形態の変形では、蓋は、分離部品の縁区域の上を越えて延在する唇状部を備える。
【００５２】
したがって、蓋は比較的薄い外形である。蓋には、貯留部の容積を減じてしまう窪んだ把持部が設けられる必要はない。蓋は、組立体の液体を保持する能力を大きくすることなく組立体の高さを増大させてしまう突出する把持部を有する必要もない。
【００５３】
分離部品の貯留部の口部を閉じるための蓋を備える組立体の実施形態の変形では、蓋は、貯留部の口部において貯留部の内面と係合するための外面を有する垂れ下がる区域を含む。
【００５４】
これは、例えば、分離部品の旋回の間、又は、液体を容器から注ぐ間といった、蓋が落ちないように蓋を分離部品に保持する比較的単純ながらも効果的な方法である。
【００５５】
この実施形態の変形では、組立体は、
垂れ下がる区域の少なくともある区域を貫く少なくとも１つのスロット、及び、
垂れ下がる区域と、貯留部の口部における貯留部の内面のある区域との一方を向く、垂れ下がる区域と、貯留部の口部における貯留部の内面のある区域との他方における少なくとも１つの溝
の少なくとも一方を含む。
【００５６】
これは、処理される液体を空気によって置換させるために、貯留部の通気を提供する。スロットと、隣接する溝との組み合わせが使用されてもよいことを留意されたい。スロットは、さらに、蓋の垂れ下がる区域の圧縮の特定の度合いを許容してもよい。
【００５７】
分離部品の貯留部の口部を閉じるための蓋を備える組立体の実施形態の変形では、蓋は、貯留部の口部において貯留部の内面と係合するための外面を有する垂れ下がる区域を含み、蓋は、垂れ下がる区域が垂れ下がるカバー区域を含み、カバー区域は、貯留部の口部に隣接しての分離部品の縁区域への配置のために、横への張出縁区域を含む。
【００５８】
張出区域は、垂れ下がる区域が貯留部の口部へと、どれだけ押され得るか、又は、押されるべきかを定める。
【００５９】
この実施形態の変形では、横への張出区域は、張出区域が分離部品の縁区域の外側縁へとのみ延びる蓋の周囲のある区域に沿って、例えば、上方の区域のある区域が位置付けられる側と反対の側におけるある区域といった、張出区域が分離部品の縁区域の外側縁へとのみ延びる蓋の周囲の残りの区域に沿うよりも、垂れ下がる区域に対してさらに突出する。
【００６０】
これは、蓋を取り外すために蓋を「剥がす」ことを可能にするが、蓋がその行為において貯留部で終わってしまう危険性を低減する。剥がす行為の支点は、貯留部の口部の縁から十分遠くに位置付けられ、つまり、張出区域がさらに突出している。しかしながら、組立体はどこでも幅広にされるわけではない。蓋は分離部品の上方区域の形に合致するが、横への張出区域の最も遠い突出区域は、使用者が蓋の把持部を掴んで蓋を分離部品から剥がすことができる場所である蓋の最も高い区域の反対に位置付けられる。
【００６１】
組立体が分離部品の貯留部の口部を閉じるための蓋を備える組立体の変形では、蓋は、貯留部の口部において貯留部の内面と係合するための外面を有する垂れ下がる区域を含み、蓋は、垂れ下がる区域が垂れ下がるカバー区域を含み、カバー区域は、貯留部の口部に隣接しての分離部品の縁区域への配置のために、横への張出縁区域を含み、横への張出区域は、例えば、非対称の形とされた外周を有する縁区域の窪んだ部分といった、分離部品の縁区域の窪んだ部分に受け入れられる。
【００６２】
縁区域の窪んだ部分は、蓋のカバー区域が少なくとも何らかの方法で分離部品へと沈み込む効果を有し、より滑らかな仕上がりをもたらし、蓋が不用意に取り外される危険性を低減する。貯留部の口部の外周が対称な形を有する場合であっても、縁区域の窪んだ部分が非対称の形とされた外周を有し、張出部分が対応する形状の外周を有するときは、蓋は１つの配向で分離部品に置くことができる。
【００６３】
組立体の実施形態では、分離部品は、交換可能液体処理カートリッジの形態での液体処理装置を受け入れるためのカートリッジ座部を備える。
【００６４】
これは、処理能力が時間と共に、又は、使用によって使い果たされる液体処理の媒体又は装置の使用を可能にする。それらは、液体処理カートリッジを交換することで容易に交換できる。
【００６５】
この実施形態の変形では、カートリッジ座部は、液体処理カートリッジの少なくともある区域が通って挿入可能な口部と、交換可能液体処理カートリッジの周囲の封止する周縁と係合するための封止面とを有する。
【００６６】
口部は貯留部の出口に概して対応し、そのため液体は、交換可能液体処理カートリッジを通じて貯留部から出て行かされる。
【００６７】
実施形態では、カートリッジ座部は、液体処理カートリッジのある区域を受け入れるためのカートリッジ座部室の口部に対応し、カートリッジ座部室は、少なくとも側壁と、カートリッジ座部室の口部の反対の端壁とによって定められ、カートリッジ座部室には少なくとも１つの液体透過性の出口が設けられる。
【００６８】
出口は、液体処理カートリッジを通る流れを調節するために使用されてもよい。これは、液体処理カートリッジにおいて液体によって経過される時間が、液体の処理の度合いを決定する場合に使用される。例は、カートリッジが（交換を含む）吸着などの拡散過程での液体の処理のための液体処理媒体を備え、液体処理媒体との接触時間が処理の度合いを決定する場合である。
【００６９】
この実施形態の変形では、出口は、端壁の包囲する区域に対してカートリッジ座部室へと突出するカートリッジ座部の中空部分によって定められる。
【００７０】
通路が中空部分に形成され、分離部品の排出出口に対応するカートリッジ座部室の出口につながる。カートリッジ座部室から通路へのアクセスを提供する開口までの液体の高さは、カートリッジ座部室において維持される。これは、使用の際、少なくともカートリッジの下方区域が、貯留部が空にされた後であっても液体に沈んだままである実施形態を可能にする。これは、カートリッジにおける液体処理媒体が乾燥するのを防止することが望ましい場合に使用され得る。微量物質が沈んだ区域に提供される場合に使用されてもよい。
【００７１】
この特定の変形の変形では、中空の突出部分の側壁は、通路を定め、中心開放部の周りの通路へと突出する少なくとも１つの隆条部が設けられる。
【００７２】
隆条部は、貯留部からカートリッジ座部室の出口までの液体の流量を制限する断面積を定める。隆条部は、中空の突出部分に挿入可能なカートリッジにおいて突出部を係合することで、カートリッジを固定することでも役割を果たすことができる。
【００７３】
この変形の特定の変形では、少なくとも２つの隆条部の端が、使用の際、液体をそれらの間に通過させるように、流れの方向に対応する軸に対する接線の方向で離間される。
【００７４】
したがって、隆条部が周りに配置される中心開放部は、液体処理カートリッジを所定位置に保持する液体処理カートリッジの一部分によって塞がれる場合であっても、液体のための流路はなおもあり、その流路の断面積は、隆条部の端同士の間の間隔によって決定される。
【００７５】
組立体の実施形態では、容器は口部の反対に基部を有し、分離部品及び容器には、突出部と、分離部品が第１の位置と第２の位置との間で旋回するときに突出部がそれに沿って移動可能である縁との少なくとも１つの対の各々のそれぞれの部材が設けられる。
【００７６】
縁は、縁と基部との間の高さに突出部を保持し得る。突出部は、すべての周囲の下で縁に沿って移動するとき、縁に接触する必要はない。むしろ、縁は、突出部の移動を制限し、それによって周縁の方向における分離部品の移動を制限するように作用する。そのため、分離部品を第２の位置へと旋回させるために上方区域のある区域を容器に向けて押し下げる力、又は、分離部品を第１の位置へと旋回させるために容器から離すようにその区域を押す力は、分離部品を容器から飛び出させることはできない。分離部品は容器に保持される。分離部品の上方区域が、少なくとも第１の位置において周縁の上に位置付けられる場合、この縁区域は周縁に当たって保持され得る。上方区域の延在が吐出口の口部を覆う場合、この延在部は、第１の位置において吐出口の周縁に当たって保持される。概して、突出部と、突出部がそれに沿って移動可能である縁との２つの対があり、１つの対は容器の相対する側の各々にあることを留意されたい。この対は、旋回軸と概して平行な方向で並べられることになる。
【００７７】
この実施形態の変形では、各々の対の縁は、周縁と基部との間の高さに設けられる。
【００７８】
したがって、縁は、分離部品の旋回移動を考慮するために、周縁に対して斜めとされ得る。旋回移動は、分離部品が設けられる各々の対の部材に、周縁と平行でない概して非線形の移動を実行させ、そのため、分離部品において突出部を保持するために、容器周縁の張出部分の縁を使用することは難しい。
【００７９】
容器は口部の反対に基部を有し、分離部品及び容器には、突出部と、分離部品が第１の位置と第２の位置との間で旋回するときに突出部がそれに沿って移動可能である縁との少なくとも１つの対の各々のそれぞれの部材が設けられる実施形態の変形では、各々の対の縁は、容器の周囲の周りの対応する場所における周縁の少なくともある区域に対して斜めに配向される。
【００８０】
先に説明したように、これは、分離部品の旋回する移動を考慮する。
【００８１】
容器は口部の反対に基部を有し、分離部品及び容器には、突出部と、分離部品が第１の位置と第２の位置との間で旋回するときに突出部がそれに沿って移動可能である縁との少なくとも１つの対の各々のそれぞれの部材が設けられる実施形態の変形では、各々の対は、分離部品の垂れ下がる部分と容器の側壁との間に設けられる。
【００８２】
概して、容器は、分離部品が第１の位置と第２の位置との間で旋回するとき、分離部品の垂れ下がる部分の位置における変化を受け入れるように柔軟である。垂れ下がる部分と容器の側壁との間に対を提供することで、封止部分を容器の壁の内面に押し当てる弾性力は、突出部を縁の下方又は上方で保持もする。さらに、垂れ下がる部分と容器の側壁との間での対の配置は、分離部品をより取り外しやすくする。概して、突出部と、突出部を保持する縁との２つの対があり、１つの対は容器の相対する側の各々にあることになる。対を連結する仮想線に対して垂直な方向で容器を押し潰すことで、突出部は、縁を自由にできる、又は、自由にされ得る。したがって、分離部品を容器から持ち上げることができる。
【００８３】
容器は口部の反対に基部を有し、分離部品及び容器には、突出部と、分離部品が第１の位置と第２の位置との間で旋回するときに突出部がそれに沿って移動可能である縁との少なくとも１つの対の各々のそれぞれの部材が設けられる実施形態の変形では、各々の対の縁は、突出部を受け入れるためのそれぞれの溝の縁である。
【００８４】
分離部品と、容器の側壁の内側との一方の表面における隆条部が縁を提供する変形と比較して、突出部が設けられる表面と、溝が設けられる表面とは、比較的一体に近くなり得る。
【００８５】
本発明の他の態様によれば、本発明による組立体と液体処理装置とを含む液体処理システムが提供される。
【００８６】
液体処理装置は、分離部品に含まれる座部における配置のための交換可能な液体処理装置であり得る。
【００８７】
交換可能な液体処理装置は、座部において封止された関係で保持され、処理される液体が液体処理装置を通って流されることを確保する。液体処理装置は、限定された処理能力及び／又は寿命を有し、その能力を使い果たすと、又は、その寿命の終わりに達すると、交換され得る。
【００８８】
変形では、交換可能な液体処理装置は、筐体を備える交換可能液体処理カートリッジを備え、筐体は、
液体入口を形成する少なくとも１つの液体透過性窓と、
液体出口を形成する少なくとも１つの液体透過性窓と、
例えば、液体処理媒体を備え、液体入口と液体出口との間に場所が定められ、液体入口及び液体出口を形成する液体透過性窓と液体連通している少なくとも１つの処理室と
を備える。
【００８９】
これは、例えば、処理室が異なるそれぞれの内容物を有しているカートリッジが提供され得るといった、比較的用途の広い一実施形態である。さらに、室は、粒状の液体処理媒体の床を保持するのに適しており、接触する液体のための比較的大きな有効面積を呈する。
【００９０】
この実施形態の変形では、筐体は、液体入口を形成する液体透過性窓を、液体出口を形成する液体透過性窓から分離するために、カートリッジ座部の封止面と協働するための周囲の封止周縁を備える。
【００９１】
カートリッジをカートリッジ座部に置く行為は、封止周縁をカートリッジ座部の封止面と係合させ、それによって、液体処理カートリッジを越える液体のあらゆる流れを防止する。
【００９２】
液体処理システムの実施形態では、液体処理装置は、例えば吸着によって、拡散過程における液体の処理のための液体処理媒体を備える。
【００９３】
ここでの目的のために、吸着による液体の処理は、イオン交換による液体の処理を含む。
【００９４】
液体処理システムの実施形態では、液体処理装置は、例えば粒状物質といった、結合された物質から作られた多孔質で液体透過性の本体を備える。
【００９５】
本体は、前述した種類の筐体を有する交換可能液体処理カートリッジに含まれてもよい。本体は、自己支持の交換可能な液体処理装置の主要部又は単なる一部分であり得る。その場合、不浸透性材料から作られた筐体は省かれてもよい。例は、液体浸透性の材料の１つ又は複数の薄板によって任意選択で覆われる、熱的に結合された活性炭から作られた多孔質の本体を備える交換可能な液体処理装置である。
【００９６】
したがって、変形では、液体処理装置は、例えば吸着によって、拡散過程における液体の処理のための液体処理媒体を含み、液体処理装置は、例えば粒状物質といった、結合された物質から作られた多孔質で液体透過性の本体を備え、結合された物質は、拡散過程における液体の処理のための液体処理媒体の少なくとも一部を備える。
【００９７】
本発明は、添付の図面を参照してさらに詳細に説明される。
【図面の簡単な説明】
【００９８】
【図１】容器が分離部品を示すために透明に作られており、蓋によって覆われた分離部品が吊り下げられている、容器を備える液体処理システムを形成するための組立体の正面図である。
【図２】容器の斜視図である。
【図３】容器の内側から見たときの容器の吐出口を示す容器の断面図である。
【図４】容器の内側から見たときの吐出口と反対の壁の区域を示す容器のさらなる断面図である。
【図５】分離部品の斜視図である。
【図６】分離部品における突起の詳細図である。
【図７】分離部品の平面図である。
【図８】分離部品の下側の斜視図である。
【図９】分離部品の底面図である。
【図１０】交換可能液体処理カートリッジを受け入れるためのカートリッジ座部を示す分離部品の斜視断面図である。
【図１１】分離部品の断面図である。
【図１２】適切な交換可能液体処理カートリッジの断面図である。
【図１３】蓋の斜視図である。
【図１４】蓋の下側の斜視図である。
【発明を実施するための形態】
【００９９】
液体処理システムは、処理された液体を受け入れて注ぐための容器１（図１〜図４）と、分離部品２と、蓋３（図１３、図１４）とを備える。ここで、液体処理システムが水道の飲料水などの水性液体を処理するためのシステムであることが仮定される。図示した液体処理システムは、重力で駆動される液体処理システムである。
【０１００】
容器１（図１〜図４）は、容器１を指示表面に置くための基部４を有する。容器１は、基部４と反対の端において周縁５によって包囲される口部を有する。周縁５は本質的に１つの平面において位置し、そのため、側方からの平面図で見たとき、周縁５は本質的に真っ直ぐである。側壁６が基部４から周縁５まで延在している。容器１には吐出口７が形成されている。吐出口７の口部は、容器１の口部と近接しており、周縁５の区域によって縁取られている。吐出口７は、側壁６と一体の唇状部の形態を取っている。この唇状部の上方の縁は、周縁５に含まれている。
【０１０１】
容器１は、基部から口部まで延在する中心の直立の軸に対して横断して細長い断面を有している。吐出口７は、一方の長手側の端に位置付けられている。容器１は、直立の軸と長手側の軸とを通る平面に対して概して対称である。
【０１０２】
容器１は、例えばポリプレン又はスチレン・アクリロニトリル（ＳＡＮ）といったプラスチックから作られ得る。容器１は、少なくとも分離部品２がないときに使用者によって押し潰され得る点において、比較的弾性である。対照的に、同じくポリプレン又はスチレン・アクリロニトリルから作られ得る分離部品は、比較的硬い。これは、比較的小さい公差範囲内で製造される必要があると共にそれ自体の形を保持すべきである部品を分離部品が含むため、有用である。一般的に言って、容器１と分離部品２とが互いと係合する場所の摩耗を防止するために、それらは同じ材料から作られるべきである。
【０１０３】
図示した実施形態では、容器１は別の取っ手を有していない。これは、手で保持されるとき、使用者の手が容器１の本体に比較的近いことを確保している。容器１により多くの引っ掛かりを提供するために、容器の側壁６に、両側において刻み目を形成する区域８ａ、８ｂが設けられている。そのため、別の取っ手の必要性がない。
【０１０４】
案内溝９ａ、９ｂ（図２、図４）が、基部４と周縁５との間の高さにおいて側壁６の内側に設けられている。案内溝９ａ、９ｂは主に長手側の方向で延びているが、少なくともそれらの上方の縁は、容器１の周囲の周りの対応する場所において、周縁５の少なくともある区域に対して若干斜めに配向される。これらの縁は、分離部品２の外面に設けられた突出部１０ａ、１０ｂ（図５〜図８）を保持するためであり、それらの突出部１０ａ、１０ｂは案内溝９ａ、９ｂにおいて受け入れ可能である。容器の側壁６の比較的柔軟な性質によって、分離部品２が容器１の口部に置かれるとき、突出部１０ａ、１０ｂを挿入させることができ、分離部品２が容器１の口部から取り外されるとき、突出部１０ａ、１０ｂを取り外すことができる。
【０１０５】
分離部品２は上方区域と垂れ下がる区域とを含んでいる。分離部品２は、上方区域の傍で容器１によって支持可能である。図示した実施形態では、上方区域は、周縁５の上で延在する張り出す縁の区域１１を備える。図示した実施形態では、この縁区域１１は分離部品２の周囲に沿って延在している。縁区域１１は、分離部品２を支持するために、周縁５に置かれ得る。垂れ下がる区域は、縁区域１１が相対的に突出すると共に垂れ下がる区域が結合される側壁１２を備える。
【０１０６】
分離部品２の軸１３（図７）を定めることが可能である。容器１のように、分離部品２は、軸１３に対して概して垂直に細長い断面を有している。縁区域１１は、吐出口７の口部を覆うための区域１４と、分離部品２の第１の位置における周縁５の配置のための相対する区域１５ａ、１５ｂと、相対する移行区域１６ａ、１６ｂと、第１の位置における周縁５の配置のための縁区域１５ａ、１５ｂに対して傾けられた区域１７とを有する。傾けられた区域１７は、本質的に１つの平面において位置する、使用の際、周縁５を向く面を有する。傾けられた区域１７は、周縁５と、周縁５を向く傾けられた区域１７の面との間の軸方向距離が、第１の位置で周縁５に圧し掛かる区域１５ａ、１５ｂから離れるにつれて大きくなるように傾けられている。したがって、傾けられた区域１７は、容器１に向けて周縁５へと押し下げることができ、分離部品２が容器１によっても支持される第２の位置へと分離部品２を旋回する。縁区域１１は工程において周縁５に沿って変位され、そのため、旋回軸に対応する接触の位置が、工程において周縁５に沿って移動する。これらの接触の点も、湾曲されている移行区域１６ａ、１６ｂに沿って移動する。第１の位置と第２の位置との両方で、移行区域１６ａ、１６ｂの間で延びる分離部品２の上方区域のある区域は、容器１の口部を横切って延在する。したがって、旋回軸も、周縁５において位置付けられるのとは対照的に、口部を横切って延在する。案内溝９ａ、９ｂの縁は、分離部品２が旋回の間に不用意に容器１から上向きに飛び出すのを防止する一方、突出部１０ａ、１０ｂを移動させることができる。
【０１０７】
分離部品２が容器１と比べて比較的硬いため、容器１、具体的には、側壁６は、第２の位置において分離部品２を収容するように弾性的に変形できる。
【０１０８】
側壁１２における突起１８（図６）は、分離部品２が第２の位置へと旋回されるため、分離部品２を吐出口７に向けて押す。この突起１８は、容器側壁６によって発揮される反対の弾性力に抗して、第２の位置で締め付けられる分離部品２を保持もする。
【０１０９】
薄板１９（図７、図８）は、側壁１２から、第１の位置で吐出口７の口部を覆う縁区域１１の区域１４まで延在している。この薄板１９は、分離部品２が、吐出口７が位置付けられる側と反対の容器１の側に突起１８が置かれ得るだけであることを確保する。薄板１９は、第１の位置において吐出口７の口部を覆う縁区域１１の区域１４を強化もする。
【０１１０】
縁区域１１の傾けられた区域１７は、周縁５の上を、周縁５を越えて延在しているため、分離部品２を第２の位置から解放するために、容器１から離れるように押されてもよい。ここでも、案内溝９ａ、９ｂの縁は、分離部品２が不用意に容器１から上向きに飛び出すのを防止する一方、突出部１０ａ、１０ｂを移動させることができる。
【０１１１】
側壁１２における周囲の側壁１２の形態の封止部分２０が、第１の位置において、容器側壁６の内側の周囲の少なくとも大部分に沿ってその内側に当たって封止するように構成されている。これは、封止部分２０の少なくともある区域を、基部４と、基部４に最も近い吐出口７の端との間の高さにおいて含む。図示した実施形態では、封止部分２０は分離部品２と一体である。代替の実施形態では、封止部分２０は分離部品２の他の部分と共に成形され、より柔軟な材料から作られ得る。図示した実施形態では、隆条部は本質的に形が平面状である。代替の実施形態では、隆条部はより丸い断面を有してもよく、例えば丸縁のような形とされる。
【０１１２】
封止部分２０を形成する隆条部の外側縁は、上方区域の傾けられた区域１７と同じ側に位置付けられる区域２１（図９）を除いて、側壁６の内側に形が合致する。この区域２１は、空気を通過させるために、少なくとも第２の位置において、容器側壁６の内面から分離されている。この通気によって、容器１から注がれるとき、液体は比較的滑らかに流れることになる。容器側壁６及び封止部分２０の柔軟性に依存して、区域２１は、第１の位置において容器側壁６の内面に当たって封止するのに効果があり、そのため、シールが、基部４と、基部４に最も近い吐出口７の端との間の高さにおいて、封止部分２０の全長に沿って設けられている。
【０１１３】
第２の位置では、少なくとも、縁区域１１の傾けられた区域１７の反対の側における封止部分２０の区域が、周縁５と、基部４に最も近い吐出口７の端との間の高さにおいて場所が定められ、液体を容器から注がせることができる。容器側壁６が周縁５に向かって外向きに傾けられるという事実を考慮して、封止部分２０は、吐出口７がないときであっても、容器側壁６の内面から離間されることになる。
【０１１４】
図示した実施形態では、封止部分２０は、容器側壁６の内面に設けられた第１及び第２の隆条部２２ａ、２２ｂ、２３（図３、図４）とも協働する。第１の隆条部２２ａ、２２ｂ（図３）は、基部４に最も近い吐出口７の端に対応する高さにおいて、吐出口７に隣接して設けられる。第１の隆条部２２ａ、２２ｂは、これらも容器１の対称の直立する平面に対して対称に配置されるように、吐出口７に対して対称に配置される。封止部分２０は、分離部品２が第１の位置へと旋回するとき、第１の隆条部２２ａ、２２ｂの後側に嵌まる。これは、容器１が正確に閉じられたという合図を使用者に提供する。合図は可聴である必要はないが、使用者によって感じ取られるものである。
【０１１５】
第２の隆条部２３（図４）は、吐出口７と反対の容器１の内部の側に位置付けられている。封止部分２０は、分離部品２が第２の位置へと移動されるとき、第２の隆条部２３の後側に嵌まる。これは、液体が容器１から注ぐことができるという容易に分かる合図である。
【０１１６】
分離部品２は、カートリッジ座部（図１０、図１１）を定め、交換可能液体処理カートリッジ２４（図１２）の形態で液体処理装置を受け入れるためのカートリッジ座部室を形成する端区域を含む。カートリッジ座部は、処理される液体の貯留部を形成するために、分離部品２の区域の底に形成された口部を備える。カートリッジ２４の筐体は、カップの形とされた部分２６に結合された器の形とされた部分２５を備え、それらが液体処理媒体を保持するための室を一緒に定めている。周囲方向のカートリッジの封止周縁２７は、カートリッジ座部の口部の外周に合致する外側輪郭を有し、カートリッジ２４がカートリッジ座部に正しく置かれるときに封止面２８と協働するように構成される。
【０１１７】
協働する封止面との封止する係合において、カートリッジ封止周縁２７が、液体入口を形成する液体透過性窓２９ａ〜２９ｄを、液体出口を形成する液体透過性窓３０ａ、３０ｂから隔てている。したがって、液体はカートリッジ２４を通って貯留部から出て行かされる。液体は、この例ではカップの形とされた部分２６に形成されている液体透過性窓２９ａ〜２９ｄを通って入る。液体は、この場合にはカートリッジ２４の基部を形成する端壁３１に形成されている液体透過性窓３０ａ、３０ｂを通って出て行く。カートリッジ２４を通るその途中において、液体は、カップの形とされた部分２６と、器の形とされた部分２５とによって形成された室に配置された液体処理媒体と接触する。
【０１１８】
液体処理媒体は、例えば、成分を除去する、又は、成分を液体に添加するための媒体といった、拡散過程における液体の処理のための液体処理媒体を備えてもよい。具体的には、媒体は、吸着による液体の処理のための液体処理媒体を備えてもよく、その液体処理媒体は、ここでの目的のために、イオン交換の吸着及び吸収を含む。媒体は活性体を含んでもよい。媒体は、例えば陽イオン交換樹脂といった、イオン交換樹脂を含んでもよい。陽イオン交換樹脂は、水素型で陽イオン交換樹脂を含み得る。具体的な実施形態では、イオン交換樹脂の大部分は水素型である。一部は、カリウム又はナトリウムなどのアルカリ金属対イオンで、少なくとも初期に負荷され得る。利用可能な容積のより効果的な使用のために、陽イオン交換樹脂は弱酸性陽イオン交換樹脂であり得る。液体処理媒体は、概して、少なくとも部分的に粒状の形態となる。カートリッジ２４は、例えば熱的に結合された粒状の液体処理媒体といった、熱的に結合された液体処理媒体を含み得る。適切な結合剤は、ポリエチレンを含み、具体的には、超高密度ポリエチレンを含む。
【０１１９】
カートリッジの端壁３１は凹部３２（外側から見たとき）を備え、凹部３２には、中空のカートリッジ突出部３３が配置されている。カートリッジ突出部３３は、凹部３２の口部の反対の凹部３２の端において、壁区域から突出している。カートリッジ突出部３３は凹部３２内に完全に収容されている。カートリッジ突出部３３は、主として円筒状の形を有するが、外面において固定手段を形成する丸縁３４が設けられている。カートリッジ突出部３３は、その自由端を若干圧縮させることができるように、自由端において分断されてもいる。
【０１２０】
カートリッジ座部室（図１０、図１１）は、カートリッジ座部室の側壁３５とカートリッジ座部室の端壁３６とによって形成されている。両方とも分離部品２の一体部分である。液体出口は、カートリッジ座部室の端壁３６を通じて延びている。図示した実施形態では、液体出口は、カートリッジ座部室の端壁３６の包囲する区域に対してカートリッジ座部室へと突出する中空部分３７によって定められる。中空の突出部分３７は、この実施形態では、カートリッジ座部室の端壁３６と一体である。
【０１２１】
中空の突出部分３７は、カートリッジ２４がカートリッジ座部に置かれるとき、カートリッジ突出部３３を受け入れるために、自由端において開放している。中空の突出部分３７は、通路を定めており、中空の突出部分３７が包囲する中心開放部についての通路へと突出する隆条部３８が設けられている。隆条部の端は、この例では流れの方向と並べられる分離部品の軸１３に対する接線の方向で離間されている。離間によって、隆条部３８によって包囲される中心開放部をカートリッジ２４の突出部３３が占めるときであっても、液体を隆条部３８の端同士の間で通過させることができる。
【０１２２】
丸縁３４は、カートリッジ２４が所定位置にあるとき、カートリッジ２４を軸方向で所定位置に保持し、カートリッジ２４の封止周縁２７に作用する力に抗するために、隆条部３８の後側に嵌まる。
【０１２３】
カートリッジ座部の上方には、使用の際、処理される液体の貯留部があり、貯留部は蓋３によって閉止可能である。蓋３は分離部品２のみと協働し、貯留部のみを閉じ、そのため蓋は分離部品２と共に旋回できる。蓋３は、分離部品２によって形成された貯留部を比較的に密に閉じることになる。これは、概して、分離部品２が旋回されるとき、又は、なおも処理されていない液体が貯留部にある一方で液体が容器１から注がれるとき、液体が縁区域１１を越えて飛び散るのを防止する。しかしながら、貯留部の過充填に対するさらなる予防措置として、分離部品２は半透明の材料から作られ、充填指示部（一方は一杯のグラスに対応する高さを指示し、他方は二杯のグラスに対応する高さを指示している）が、貯留部を形成する分離部品２の側壁１２にエンボス加工又は他の方法で提供されている（図１、図５、及び図７参照）。
【０１２４】
蓋３（図１３、図１４）は、例えば射出成形によって得ることができる、単一の部品である。蓋３は、例えばポリプロピレンから作られ得る。蓋３は、分離部品２より柔軟であってもよく、例えば、より低い弾性係数の材料から作られてもよい。蓋３は、カバー区域３９と、垂れ下がる区域４０とを備える。垂れ下がる区域４０は、貯留部の口部において分離部品２の側壁１２の内側輪郭に合致する外側輪郭を有する。垂れ下がる区域４０は、少なくとも１つで、例では１つだけとなっている、その周囲に沿う場所において、分断されている。分断４１は、カバー区域３９の遠位へと垂れ下がる区域４０の縁に向かって延びている。分断４１は、それがない場合にはそれ自体で閉じられる垂れ下がる壁の形態となってしまう垂れ下がる区域４０を、圧縮させることができる。そのため、弾性の戻る力が、垂れ下がる区域４０を分離部品２の側壁１２の内面に押し当てる。摩擦係合は蓋３を分離部品に保持する。
【０１２５】
カバー区域３９は、垂れ下がる区域４０に対する張り出しを形成している。唇状部４２は、なおもさらに延びており、すなわち、分離部品２の縁区域１１の外側縁を越えて延びている。したがって、蓋３は比較的容易に取り外しできる。図示した実施形態では、唇状部４２は、蓋３が所定位置にあるとき、容器１の対称の平面に対してずれた場所にある。代替の実施形態では、蓋３は対称であり得る、又は、唇状部４２は他方の側にずらされてもよい。
【０１２６】
カバー区域３９が分離部品２の縁区域１１に合致することを留意されたい。したがって、カバー区域３９は、第１の概して平面状のカバー区域４３と、湾曲した移行区域４４と、第１の区域４３に対して傾けられた区域４５とを含む。
【０１２７】
さらに、カバー区域３９の張出区域が、分離部品２の縁区域の窪んだ部分４６（図５、図１０）に受け入れられる。この窪んだ部分４６は、分離部品２の縁区域の上に延びる唇状部４２を受け入れなければならいという事実のため、非対称の形とされた外周を有する。
【０１２８】
分離部品２の内面が垂れ下がる区域４０と係合する、その内面にも沿って延びる通気溝４７（図５、図１０、図１１）が、窪んだ部分４６の底に設けられている。分断４１はこの通気溝４７の連続性を形成し、そのため、カートリッジ２４によって処理された液体は、空気によって置き換えられる。
【０１２９】
吐出口７に最も近い分離部品２の側では、窪んだ部分は、分離部品２の周囲の残りの部分に沿ってよりもさらに外側に延びているが、窪んだ部分が唇状部を受け入れるために縁までずっと延びている場所を可及的に除く。カバー区域３９の横への張出区域は、分離部品２の縁区域の外側縁を越えて延びる場所、つまり、唇状部４２を除いて、蓋３の周囲の残りの部分に沿ってよりも、垂れ下がる区域４０に対して遠くに突出している。したがって、蓋３は、唇状部４２の把持部を掴むことで、分離部品２から剥がされるとき、支点が、分離部品２における貯留部の口部の縁から比較的遠く離れている。したがって、蓋３が貯留部へと落ちる可能性はない。蓋３は取り外すのが容易である。
【０１３０】
分離部品２は、旋回軸が容器１の中心の直立の軸に比較的近いため、比較的容易に旋回可能である。使用者は、容器１を保持する手の親指で、縁区域１１の傾けられた区域１７を押す必要があるだけである。反対の手は、例えば、自由にグラスを保持できる。第２の旋回された位置になると、分離部品２はそこで突起１８によって保持される。第１の位置において吐出口７の口部を覆う縁区域１１の区域１４は、周縁５から持ち上げられる。第１の位置において液体が吐出口７に入るのを防止する封止部分２０の区域は、第２の位置において容器側壁６から係合解除される。これは、処理された液体を容器１から注がせることができる。分離部品２を第１の位置に戻すためには、容器１を保持する手の親指で、縁区域の傾けられた区域１７を周縁５から離すように押すだけで足りる。案内溝９ａ、９ｂと、それらにおいて保持される突出部１０ａ、１０ｂとは、分離部品２を支持すると共に吐出口７の口部を閉じる縁区域１１の区域１４、１５ａ、１５ｂが第１の位置において周縁５に接触するように戻されることを確保する。
【０１３１】
本発明は、添付の請求項の範囲内で変えられ得る前述した実施形態に限定されない。例えば、図示した液体処理システムは純粋に重力で駆動されるが、代替の実施形態は、代替の実施形態は、容器１における圧力を低下させるための装置、又は、分離部品２によって形成される貯留部における圧力を高めるための装置を備えてもよい。粒状の液体処理媒体を収容する筐体を有する交換可能液体処理カートリッジ２４は、例を用いて記載されている。異なる実施形態は、任意選択でフリース又はメッシュなどの液体透過性のシートによって少なくとも部分的に覆われる熱的に結合された液体処理媒体の円板の形態で、交換可能な液体処理装置を封止して受け入れるための留め具を備えてもよい。
【符号の説明】
【０１３２】
１  容器
２  分離部品
３  蓋
４  基部
５  周縁
６  容器側壁
７  吐出口
８ａ、８ｂ  刻み目を形成する側壁区域
９ａ、９ｂ  案内溝
１０ａ、１０ｂ  突出部
１１  縁区域
１２  分離部品の側壁
１３  分離部品の軸
１４  吐出口を覆う縁区域
１５ａ、１５ｂ  吐出口に隣接した縁区域
１６ａ、１６ｂ  移行部区域
１７  傾いた縁区域
１８  突起
１９  薄板
２０  封止部分
２１  封止部分の区域
２２ａ、２２ｂ  第１の隆条部
２３  第２の隆条部
２４  液体処理カートリッジ
２５  器の形とされたカートリッジ筐体部分
２６  カップの形とされたカートリッジ筐体部分
２７  カートリッジ封止周縁
２８  封止面
２９ａ〜２９ｄ  液体入口を形成する液体透過性窓
３０ａ、３０ｂ  液体出口を形成する液体透過性窓
３１  カートリッジ筐体の端壁
３２  凹部
３３  カートリッジ突出部
３４  丸縁
３５  カートリッジ座部室の側壁
３６  カートリッジ座部室の端壁
３７  中空の突出部分
３８  突出部分における隆条部
３９  蓋のカバー区域
４０  蓋の垂れ下がる区域
４１  分断
４２  蓋における唇状部
４３  カバー区域の第１の区域
４４  湾曲した移行区域
４５  カバー区域の傾いた区域
４６  窪んだ部分
４７  通気溝
【図１】
2018520860.tif 000003
【図２】
2018520860.tif 000004
【図３】
2018520860.tif 000005
【図４】
2018520860.tif 000006
【図５】
2018520860.tif 000007
【図６】
2018520860.tif 000008
【図７】
2018520860.tif 000009
【図８】
2018520860.tif 000010
【図９】
2018520860.tif 000011
【図１０】
2018520860.tif 000012
【図１１】
2018520860.tif 000013
【図１２】
2018520860.tif 000014
【図１３】
2018520860.tif 000015
【図１４】
2018520860.tif 000016
【国際調査報告】
2018520860.tif 000017
2018520860.tif 000018